(57)【特許請求の範囲】
【請求項１】
構築壁の一つの貫通部を可撓性を有する二本の給水管が貫通するように、前記二本の給水管を案内する給水管ボックスであって、
前記二本の給水管が通るボックス本体を有し、
前記ボックス本体は、前記構築壁の一方の面側において前記二本の給水管がそれぞれ挿通される二本の鞘管の一端部が接続される鞘管接続部と、前記貫通部を介して前記構築壁の他方の面側に開口する開口部とを備えるとともに、前記二本の鞘管の一端部から出た前記二本の給水管が並設状態となって前記開口部に臨むように形成され、かつ、
前記ボックス本体は、そのボックス本体内に、前記二本の鞘管の一端部から出た前記二本の給水管を互いに近接させる近接手段を備えることを特徴とする給水管ボックス。
【請求項２】
前記近接手段は、前記二本の鞘管の一端部から出た前記二本の給水管を前記ボックス本体の中心側に寄せるよう、前記給水管と当接する当接壁面からなることを特徴とする請求項１に記載の給水管ボックス。
【請求項３】
前記鞘管接続部は、前記二本の鞘管が並設状態となって接続されるように形成されていることを特徴とする請求項１または２に記載の給水管ボックス。
【請求項４】
前記ボックス本体は、前記鞘管接続部に取り付けられて前記二本の鞘管を抜け止めする抜止部材を備え、
前記鞘管接続部には、その鞘管接続部に接続される前記二本の鞘管の並ぶ方向の略中央に係合部が設けられ、
前記抜止部材には、その抜止部材が少なくとも前記鞘管の長手方向に位置決めされるよう、前記係合部と係合する被係合部が設けられていることを特徴とする請求項３に記載の給水管ボックス。
【請求項５】
構築壁の一つの貫通部を可撓性を有する二本の給水管が貫通するように、前記二本の給水管を案内する給水管ボックスであって、
前記二本の給水管が通るボックス本体を有し、
前記ボックス本体は、前記構築壁の一方の面側において前記二本の給水管がそれぞれ挿通される二本の鞘管の一端部が接続される鞘管接続部と、前記貫通部を介して前記構築壁の他方の面側に開口する開口部とを備えるとともに、前記二本の鞘管の一端部から出た前記二本の給水管が並設状態となって前記開口部に臨むように形成され、かつ、
前記ボックス本体は、前記鞘管接続部に取り付けられて前記二本の鞘管を抜け止めする抜止部材を備え、
前記鞘管接続部は、前記二本の鞘管が並設状態となって接続されるように形成され、その鞘管接続部には、その鞘管接続部に接続される前記二本の鞘管の並ぶ方向の略中央に係合部が設けられ、
前記抜止部材には、その抜止部材が少なくとも前記鞘管の長手方向に位置決めされるよう、前記係合部と係合する被係合部が設けられていることを特徴とする給水管ボックス。
【請求項６】
前記係合部は、前記抜止部材側に突出する係合突起からなり、前記被係合部は、前記係合突起が挿入される被係合孔からなることを特徴とする請求項４または５に記載の給水管ボックス。
【発明の詳細な説明】
【０００１】
【発明の属する技術分野】
この発明は、給水管を、構築壁の貫通部に貫通させるための、給水管ボックスに関するものである。
【０００２】
【従来の技術】
従来、例えばユニットバス内に湯と水を供給したり、浴槽内の湯を追い焚きするために、構築壁である、ユニットバスの壁に、可撓性を有する合成樹脂製の二本の給水管１１、１１を貫通させるための給水管ボックス１２として、図９に示されるものがあった。かかる給水管ボックス１２は、ユニットバスの壁裏に取り付けられるボックス本体１３と、壁表からボックス本体１３に取り付けられるカバー部材１４とからなっていた。そして、ボックス本体１３には、下方から一本の鞘管１５が接続され、その一本の鞘管１５内に挿通された二本の給水管１１、１１が、ボックス本体１３およびカバー部材１４を通ってユニットバス内に引き出され、かつ、配管されて、浴槽回りの水栓に接続された。なお、前記給水管ボックス１２は、給水管１１を二本並設状態にまとめて、ユニットバス壁の一つの貫通部に貫通させるようになっていたため、独立した二つの貫通部を設けて各々の給水管を貫通させる場合と比べて、給水管１１、１１の壁貫通作業が簡単に行え、さらに水漏れ原因となるユニットバス壁の貫通部を、極力少なくし得えるという利点があった。
【０００３】
【発明が解決しようとする課題】
しかし、上記従来の給水管ボックス１２にあっては、一本の鞘管１５内に二本の給水管１１、１１を挿通しなければならず、以下のような問題があった。
【０００４】
すなわち、二本の給水管１１、１１を同時に鞘管１５内に挿通する場合には、通管抵抗が極めて大きく、挿通作業が困難であった。また、鞘管１５の湾曲配管部等において、外側の給水管１１が先に鞘管１５に当接して屈曲しようとした際、内側の給水管１１が障害となって前記外側の給水管１１の屈曲を妨げる場合があり、給水管１１、１１の挿通作業に極めて大きな力が必要であった。さらに、前記内側の給水管１１を避けて外側の給水管１１を屈曲させた結果、外側の給水管１１の先端が鞘管１５の湾曲方向とは異なる方向を向いてしまい、給水管１１の挿通作業に一層大きな力を要することがあった。
【０００５】
また、二本の給水管１１、１１を一本ずつ鞘管１５内に挿通する場合には、先に挿通された給水管１１が障害となって、後の給水管１１の挿通が困難となった。
【０００６】
この発明は、上記した従来の欠点を解決するためになされたものであり、その目的とするところは、給水管を構築壁の貫通部に貫通させる際の作業性を損なうことなく、鞘管内への給水管の挿通作業を円滑に行うことができる給水管ボックスを提供することにある。
【０００７】
【課題を解決するための手段】
この発明に係る給水管ボックスは、前記目的を達成するために、次の構成からなる。すなわち、
請求項１に記載の発明に係る給水管ボックスは、構築壁の一つの貫通部を可撓性を有する二本の給水管が貫通するように、前記二本の給水管を案内するものである。この給水管ボックスは、前記二本の給水管が通るボックス本体を有し、そのボックス本体は、前記構築壁の一方の面側において前記二本の給水管がそれぞれ挿通される二本の鞘管の一端部が接続される鞘管接続部と、前記貫通部を介して前記構築壁の他方の面側に開口する開口部とを備えるとともに、前記二本の鞘管の一端部から出た前記二本の給水管が並設状態となって前記開口部に臨むように形成されている。そして、前記ボックス本体は、そのボックス本体内に、前記二本の鞘管の一端部から出た前記二本の給水管を互いに近接させる近接手段を備えている。
【０００８】
こうして、構築壁の一方の面側において、ボックス本体の鞘管接続部に、二本の鞘管の一端部が接続される。そして、これら二本の鞘管に、二本の給水管がそれぞれ挿通される。それら二本の給水管は、鞘管の一端部から出ると、並設状態となって、ボックス本体の、一つの貫通部を介して構築壁の他方の面側に開口する開口部に臨むこととなる。このようにして、二本の給水管は、二本の鞘管にそれぞれ挿通されて、ボックス本体を通り、そのボックス本体によって構築壁の一つの貫通部を貫通するように案内される。
【０００９】
ここにおいて、鞘管接続部に接続された二本の鞘管の一端部から出た二本の給水管は、近接手段によって互いに近接して、開口部に臨む。
【００１０】
また、請求項２に記載の発明に係る給水管ボックスのように、前記近接手段は、前記二本の鞘管の一端部から出た前記二本の給水管を前記ボックス本体の中心側に寄せるよう、前記給水管と当接する当接壁面からなってもよい。これにより、二本の給水管は、鞘管接続部に接続された二本の鞘管の一端部から出ると、当接壁面に当接して、ボックス本体の中心側に寄せられる。その結果、二本の給水管は、互いに近接して開口部に臨むこととなる。
【００１１】
また、請求項３に記載の発明に係る給水管ボックスのように、前記鞘管接続部は、前記二本の鞘管が並設状態となって接続されるように形成されていてもよい。こうして、二本の鞘管は、並設状態となって、つまり互いに並んだ状態で、鞘管接続部に接続される。
【００１２】
また、請求項４に記載の発明に係る給水管ボックスのように、前記ボックス本体は、前記鞘管接続部に取り付けられて前記二本の鞘管を抜け止めする抜止部材を備え、そして、前記鞘管接続部には、その鞘管接続部に接続される前記二本の鞘管の並ぶ方向の略中央に係合部が設けられ、前記抜止部材には、その抜止部材が少なくとも前記鞘管の長手方向に位置決めされるよう、前記係合部と係合する被係合部が設けられてもよい。こうして、鞘管接続部に抜止部材が取り付けられることで、鞘管接続部に接続される二本の鞘管は、抜け止めされる。そして、この抜止部材は、被係合部が、鞘管接続部の前記略中央に設けられた係合部と係合して、少なくとも前記鞘管の長手方向に位置決めされる。従って、抜止部材の、鞘管接続部への取り付けを容易に行うことができるとともに、取り付けられた後には、被係合部と係合部との係合によって、前記鞘管を引っ張ったときの、抜止部材の変形が抑えられる。
また、請求項５に記載の発明に係る給水管ボックスは、構築壁の一つの貫通部を可撓性を有する二本の給水管が貫通するように、前記二本の給水管を案内するものである。この給水管ボックスは、前記二本の給水管が通るボックス本体を有し、そのボックス本体は、前記構築壁の一方の面側において前記二本の給水管がそれぞれ挿通される二本の鞘管の一端部が接続される鞘管接続部と、前記貫通部を介して前記構築壁の他方の面側に開口する開口部とを備えるとともに、前記二本の鞘管の一端部から出た前記二本の給水管が並設状態となって前記開口部に臨むように形成されている。そして、前記ボックス本体は、前記鞘管接続部に取り付けられて前記二本の鞘管を抜け止めする抜止部材を備える。また、前記鞘管接続部は、前記二本の鞘管が並設状態となって接続されるように形成され、その鞘管接続部には、その鞘管接続部に接続される前記二本の鞘管の並ぶ方向の略中央に係合部が設けられている。そして、前記抜止部材には、その抜止部材が少なくとも前記鞘管の長手方向に位置決めされるよう、前記係合部と係合する被係合部が設けられている。
こうして、構築壁の一方の面側において、ボックス本体の鞘管接続部に、二本の鞘管の一端部が接続される。そして、これら二本の鞘管に、二本の給水管がそれぞれ挿通される。それら二本の給水管は、鞘管の一端部から出ると、並設状態となって、ボックス本体の、一つの貫通部を介して構築壁の他方の面側に開口する開口部に臨むこととなる。このようにして、二本の給水管は、二本の鞘管にそれぞれ挿通されて、ボックス本体を通り、そのボックス本体によって構築壁の一つの貫通部を貫通するように案内される。また、鞘管接続部に抜止部材が取り付けられることで、鞘管接続部に接続される二本の鞘管は、抜け止めされる。そして、この抜止部材は、被係合部が、鞘管接続部の前記略中央に設けられた係合部と係合して、少なくとも前記鞘管の長手方向に位置決めされる。従って、抜止部材の、鞘管接続部への取り付けを容易に行うことができるとともに、取り付けられた後には、被係合部と係合部との係合によって、前記鞘管を引っ張ったときの、抜止部材の変形が抑えられる。
【００１３】
また、請求項６に記載の発明に係る給水管ボックスのように、前記係合部は、前記抜止部材側に突出する係合突起からなり、前記被係合部は、前記係合突起が挿入される被係合孔からなってもよい。こうして、鞘管接続部に設けられた係合突起が、抜止部材に設けられた被係合孔に挿入されて、抜止部材は位置決めされる。
【００１４】
【発明の実施の形態】
以下、この発明に係る給水管ボックスの実施の形態を図面に基づいて説明する。
【００１５】
図１ないし図８は、本発明に係る給水管ボックスの一実施の形態を示す。図中符号１は、構築壁としての、ユニットバス等の浴室の壁である。２は、可撓性を有する給水管である。３は、給水管ボックスであり、壁１に穿設された一つの貫通部１ａを二本の給水管２、２が貫通するように、それら二本の給水管２、２を案内するものである。
【００１６】
ここで、給水管２、２は、内部を水や湯がそれぞれ通り、前記貫通部１ａを貫通して、浴室内に導かれて、例えば、浴槽回りに備えられた給水栓に接続される。そして、給水管ボックス３は、前記二本の給水管２、２が通るボックス本体４と、同じく前記二本の給水管２、２が通るカバー部材５とから構成されている。
【００１７】
ボックス本体４は、壁１の一方の面１ｂ側において、壁１に沿って延びる二本の鞘管６、６の一端部が接続される鞘管接続部４ａと、貫通部１ａを介して壁１の他方の面１ｃ側に開口する開口部４ｂとを備える。そして、ボックス本体４の本体部４ｃは、中空状に形成されるとともに、鞘管接続部４ａから延設されて壁１側に向かって徐々に湾曲して壁１に穿設された貫通部１ａに挿入されるよう形成されており、この本体部４ｃの先端部分の内側が、前記開口部４ｂとなっている。こうして、ボックス本体４の本体部４ｃは、二本の鞘管６、６にそれぞれ挿通されてその二本の鞘管６、６の一端部から出た前記二本の給水管２、２が、並設状態となって、この本体部４ｃを通って開口部４ｂに臨むように形成されている。
【００１８】
鞘管接続部４ａは、二本の鞘管６、６が左右に並設状態となって接続されるように、鞘管６、６の各一端部が挿入される筒部４ｄ、４ｄが、中央の隔壁４ｅでつながるようにして、左右に並んで形成されている。そして、鞘管接続部４ａの筒部４ｄ、４ｄ内部の奥方であって、二つ並ぶ筒部４ｄ、４ｄの互いに離れた側には、リブ４ｆ、４ｆがそれぞれ設けられている。これらリブ４ｆ、４ｆの先端面は、鞘管接続部４ａ側から前記開口部４ｂ側に行くに連れて漸次ボックス本体４の中心側に向かうように傾斜する傾斜壁面４ｇ、４ｇとなっている。そして、これら傾斜壁面４ｇ、４ｇが、前記二本の鞘管６、６の一端部から出た前記二本の給水管２、２をボックス本体４の中心側に寄せるよう、給水管２、２と当接することで、二本の給水管２、２を互いに近接させる近接手段としての、当接壁面となっている。また、リブ４ｆ、４ｆの、鞘管接続部４ａ側の端面は、筒部４ｄ、４ｄの内壁面と直交しており、この鞘管接続部４ａに接続される鞘管６、６の先端を止めるストッパーとして機能している。
【００１９】
また、鞘管接続部４ａには、先端部分において、背面側にあたるほぼ半分が切り欠かれた切欠き４ｈが形成されており（図５参照）、残った前面側の左右の各側端部には、前後方向に貫通する孔４ｉが形成された固定部４ｊが設けられている（図６参照）。そして、ボックス本体４は、前記二本の鞘管６、６を抜け止めする抜止部材４ｋを備えている。この抜止部材４ｋは、鞘管接続部４ａの前記切欠き４ｈに嵌まるように、そして両鞘管６、６の背面側を覆うように着脱自在に取り付けられるものであり、二つの鞘管６、６を挟む左右の各側には、前記固定部４ｊと相対するようにして、前記孔４ｉと連通するねじ孔４ｍが形成された、被固定部４ｎが設けられている。こうして、抜止部材４ｋは、その被固定部４ｎ、４ｎが、固定部４ｊ、４ｊの孔４ｉ、４ｉに挿通されて被固定部４ｎ、４ｎのねじ孔４ｍ、４ｍにねじ込まれる固着具としてのネジ７、７によって固定部４ｊ、４ｊに固定されることで、鞘管接続部４ａの切欠き４ｈに取り付けられる。そして、抜止部材４ｋの内面には、周方向に沿って延びる係止凸部４ｐ、４ｐが設けられており、この係止凸部４ｐ、４ｐが、鞘管６、６に形成された凹溝６ａ、６ａ（図１参照）と係合することで、鞘管６、６が抜け止めされる構造となっている。
【００２０】
また、鞘管接続部４ａの切欠き４ｈには、その鞘管接続部４ａに接続される前記二本の鞘管６、６の並ぶ方向の略中央、つまり、隔壁４ｅの背面に、抜止部材４ｋ側に突出する棒状の、係合部としての係合突起４ｑが設けられている。一方、抜止部材４ｋには、その抜止部材４ｋが、接続される前記鞘管６、６の長手方向および鞘管６、６の並ぶ方向に位置決めされるよう、前記係合突起４ｑが挿入されるようにして、その係合突起４ｑと係合する、被係合部としての被係合孔４ｒが設けられている（図６参照）。
【００２１】
また、ボックス本体４には、本体部４ｃの先端部分の上方および左右の両側を間隔をおいて覆う円弧壁４ｓが形成されており、この円弧壁４ｓは、本体部４ｃの先端部分の下部４ｔと連続して、その下部４ｔとともに、壁１に穿設された貫通部１ａに嵌まる嵌合筒部４ｕとなっている。また、嵌合筒部４ｕの周面からは、鍔部４ｖが、略正方形状となるように延設されており、この鍔部４ｖの前面が、壁１の一方の面１ｂに当接することとなる。そして、鍔部４ｖの各コーナー部には、このボックス本体４を、壁１に取り付けるための、固着具としてのネジ９を通す孔４ｗが形成されている。
【００２２】
また、ボックス本体４の本体部４ｃの前側部分４ｘは、他の部分とは別体に形成されており、これらは、その一方に設けられた、爪部Ｚ１を備えた被掛合片Ｚ２と、他方に設けられた掛合孔Ｚ３とが掛かり合うようにして組み付けられる（図７参照）。
【００２３】
カバー部材５は、壁１の他方の面１ｃ側から、ボックス本体４の開口部４ｂを覆うように、そのボックス本体４に、ネジ８、８によって取り付けられるものであり、貫通部１ａの径よりも一回り大きな径の円盤形状をした本体部５ａを備えている。そして、本体部５ａの前面には、ボックス本体４の開口部４ｂを通る各給水管２が挿通される挿通部５ｂが、左右に並んで二つ設けられている。これら挿通部５ｂ、５ｂは、本体部５ａの前面から、上方に向かって傾斜するとともに、先細の筒形状となるよう延設されており、先端部分の内径は、給水管２、２の外径とほぼ同一となっている。
【００２４】
次に、以上の構成からなる給水管ボックス３の作用効果を、壁１への取付手順とともに説明する。始めに、壁１の一方の面１ｂ側において、ボックス本体４における鞘管接続部４ａの筒部４ｄ、４ｄに、二本の鞘管６、６の一端部をそれぞれ挿入するようにして接続する。このとき、鞘管接続部４ａの切欠き４ｈに抜止部材４ｋをネジ７、７により取り付ける。こうすることで、抜止部材４ｋの係止凸部４ｐ、４ｐが、鞘管６、６の凹溝６ａ、６ａと係合して、二本の鞘管６、６は抜け止めされる。そして、この抜止部材４ｋは、被係合孔４ｒが、鞘管接続部４ａの、前記二本の鞘管６、６の並ぶ方向の略中央に設けられた係合突起４ｑと係合して、少なくとも前記鞘管６、６の長手方向に位置決めされる。従って、抜止部材４ｋの、鞘管接続部４ａへの取り付けを容易に行うことができるとともに、取り付けられた後には、被係合孔４ｒと係合突起４ｑとの係合によって、前記鞘管６、６を引っ張ったときの、抜止部材４ｋの変形が抑えられ、鞘管６、６の抜け止めを確実に行うことができる。さらに、二本の鞘管６、６は、並設状態となって、つまり互いに並んだ状態で、鞘管接続部４ａに接続されるので、鞘管接続部４ａをコンパクトにすることができる。
【００２５】
次いで、図１に示すように、二本の鞘管６、６が接続されたボックス本体４を、壁１の一方の面１ｂに取り付ける。この取付にあたっては、ボックス本体４の嵌合筒部４ｕを、壁１の一方の面１ｂ側から貫通部１ａに挿入するとともに、ボックス本体４の鍔部４ｖを一方の面１ｂに当接させ、そして、固着具としての取付用のネジ９、９を鍔部４ｖの孔４ｗ、４ｗに挿通させて壁１にねじ込む。こうして、ボックス本体４の開口部４ｂは、貫通部１ａを介して壁１の他方の面１ｃ側に開口することとなる。
【００２６】
その後、これら二本の鞘管６、６に、その鞘管６、６の他端部側から、二本の給水管２、２をそれぞれ挿通させる。そして、それら二本の給水管２、２は、鞘管６、６の一端部から出ると、並設状態となって、一つの貫通部１ａを介して壁１の他方の面１ｃ側に開口する、開口部４ｂに臨むこととなる。このようにして、二本の鞘管６、６にそれぞれ挿通された二本の給水管２、２は、このボックス本体４によって、壁１の一つの貫通部１ａを貫通するように案内される。従って、給水管２を二本まとめて壁１の貫通部１ａを貫通させることができ、給水管２、２を貫通部１ａを貫通させる際の作業性を損なうことがない。また、浴室からの水漏れ原因となる貫通部１ａを一つにすることで、貫通部１ａが各給水管２に対応して二つ設けられる場合に比べて、その水漏れを減少させることができる。しかも、二本の給水管２、２は、二本の鞘管６、６にそれぞれ挿通されるので、鞘管６内への給水管２の挿通作業を円滑に行うことができるとともに、二本の給水管２、２どうしの熱移行を防止することができる。
【００２７】
また、鞘管接続部４ａに接続された二本の鞘管６、６の一端部から出た二本の給水管２、２は、近接手段でありまた当接壁面でもある傾斜壁面４ｇ、４ｇに当接して、ボックス本体４ｋの中心側に寄せられることで、互いに近接して開口部４ｂに臨む。従って、この開口部４ｂを小さくすることができ、さらには、壁１の貫通部１ａを小さくすることができる。
【００２８】
そして、ボックス本体４の開口部４ｂから出た給水管２、２の先端部を、壁１の他方の面１ｃ側において、カバー部材５の挿通部５ｂ、５ｂに挿通し、その挿通とともに、カバー部材５を、ネジ８、８によりボックス本体４に取り付ける。そして、最後に、ボックス本体４およびカバー部材５を通って、つまり給水管ボックス３を通って、浴室内に導かれた給水管２、２を、浴槽回りに備えられた給水栓に接続する。
【００２９】
なお、本発明は、上述した実施の形態に限定されるわけではなく、その他種々の変更が可能である。例えば、ボックス本体４が取り付けられる壁は、浴室の壁１でなくとも、建物の外壁や内壁等であってもよい。また、二本の給水管２、２は、一方が水、もう一方が湯が通るものでなくとも、例えば、追い焚き用の湯の往復管等であってもよい。
【００３０】
また、鞘管接続部４ａへの抜止部材４ｋの取り付けにあたって、位置決めのために、鞘管接続部４ａに係合突起４ｑが設けられ、抜止部材４ｋに被係合孔４ｒが設けられているが、逆に、鞘管接続部４ａに係合孔を設け、抜止部材４ｋに前記係合孔と係合する被係合突起を設けてもよい。
【００３１】
また、図示実施の形態においては、鞘管６、６を、ボックス本体４の鞘管接続部４ａに接続した後に、ボックス本体４を壁１に取り付けているが、逆に、ボックス本体４を壁１に取り付けた後に、鞘管６、６を鞘管接続部４ａに接続してもよい。
【００３２】
また、近接手段としての傾斜壁面４ｇ、４ｇは、鞘管接続部４ａの筒部４ｄ、４ｄ内部の奥方に設けられているが、本体部４ｃに設けられてもよい。また、本体部４ｃ内に、二つの給水管２、２が当接しないように仕切る仕切壁を設けてもよい。
【００３３】
また、ボックス本体４の、壁面１への取り付けにあたって、また、カバー部材５の、ボックス本体４への取り付けにあたって、ボックス本体４の鍔部４ｖと壁１との間や、カバー部材５の本体部５ａと壁１との間に、水漏れを防ぐためのパッキンを介在させてもよい。
【００３４】
【発明の効果】
以上、詳述したところから明らかなように、この発明に係る給水管ボックスによれば、次の効果がある。
【００３５】
請求項１および２に記載された給水管ボックスによれば、二本の給水管は、ボックス本体によって構築壁の一つの貫通部を貫通するように案内されるので、給水管を二本まとめて構築壁の貫通部に貫通させることができ、給水管を貫通部に貫通させる際の作業性を損なうことがない。しかも、二本の給水管は、二本の鞘管にそれぞれ挿通されるので、鞘管内への給水管の挿通作業を円滑に行うことができる。
【００３６】
そして、二本の給水管は、近接手段によって互いに近接して開口部に臨むので、開口部を小さくすることができ、さらには、構築壁の貫通部を小さくすることができる。
【００３７】
また、請求項３に記載された給水管ボックスによれば、二本の鞘管は、並設状態となって鞘管接続部に接続されるので、鞘管接続部をコンパクトにすることができる。
【００３８】
また、請求項４および６に記載された給水管ボックスによれば、加えて、被係合部と係合部との係合によって、抜止部材の、鞘管接続部への取り付けを容易に行うことができるとともに、鞘管を引っ張ったときの抜け止め部材の変形が抑えられ、鞘管の抜け止めを確実に行うことができる。
また、請求項５に記載された給水管ボックスによれば、二本の給水管は、ボックス本体によって構築壁の一つの貫通部を貫通するように案内されるので、給水管を二本まとめて構築壁の貫通部に貫通させることができ、給水管を貫通部に貫通させる際の作業性を損なうことがない。しかも、二本の給水管は、二本の鞘管にそれぞれ挿通されるので、鞘管内への給水管の挿通作業を円滑に行うことができる。さらに、二本の鞘管は、並設状態となって鞘管接続部に接続されるので、鞘管接続部をコンパクトにすることができる。その上、被係合部と係合部との係合によって、抜止部材の、鞘管接続部への取り付けを容易に行うことができるとともに、鞘管を引っ張ったときの抜け止め部材の変形が抑えられ、鞘管の抜け止めを確実に行うことができる。
【図面の簡単な説明】
【図１】  この発明に係る給水管ボックスの一実施の形態の、壁への取り付け過程を示す断面図である。
【図２】  同じく、給水管ボックスの正面図である。
【図３】  同じく、給水管ボックスの側面図である。
【図４】  同じく、給水管ボックスの底面図である。
【図５】  同じく、給水管ボックスの縦断面図である。
【図６】  図２における、Ａ−Ａ線による断面図である。
【図７】  図２における、Ｂ−Ｂ線による断面図である。
【図８】  図３における、Ｃ−Ｃ線による断面図である。
【図９】  従来の給水管ボックスを示す斜視図である。
【符号の説明】
１  壁（構築壁）                １ａ  貫通部
１ｂ  一方の面                  １ｃ  他方の面
２  給水管                      ３  給水管ボックス
４  ボックス本体                ４ａ  鞘管接続部
４ｂ  開口部                    ４ｇ  傾斜壁面（近接手段、当接壁面）
４ｋ  抜止部材                  ４ｑ  係合突起（係合部）
４ｒ  被係合孔（被係合部）      ６  鞘管
【図１】
0003643510.tif 000002
【図２】
0003643510.tif 000003
【図３】
0003643510.tif 000004
【図４】
0003643510.tif 000005
【図５】
0003643510.tif 000006
【図６】
0003643510.tif 000007
【図７】
0003643510.tif 000008
【図８】
0003643510.tif 000009
【図９】
0003643510.tif 000010